(57)【要約】【課題】本発明は、夜間において部屋のドア本体の位置を認識できるドア構造及び枠部材を提供する。【解決手段】枠部材と、ドア本体を有し、枠部材は、内側空間と外側空間を連通させる開口部を備えており、ドア本体は、開口部の一部又は全部を開閉する板状体であり、ドア本体は、枠部材に対して相対的に移動し、端面が枠部材と近接又は接触した閉状態となるものであり、枠部材は、ドア本体を閉状態にしたときに、ドア本体の端面と平行となる平行面を有し、平行面は、点灯時にドア本体側に光を放射する光放射領域５１を含んでいる構成とする。【選択図】図８
2019200838.tif 000002
【特許請求の範囲】
【請求項１】
内側空間と外側空間に区切るドア構造であって、
枠部材と、ドア本体を有し、
前記枠部材は、前記内側空間と前記外側空間を連通させる開口部を備えており、
前記ドア本体は、前記開口部の一部又は全部を開閉する板状体であり、
前記ドア本体は、前記枠部材に対して相対的に移動し、端面が前記枠部材と近接又は接触した閉状態となるものであり、
前記枠部材は、前記ドア本体を閉状態にしたときに、前記ドア本体の前記端面と平行となる平行面を有し、
前記平行面は、点灯時に前記ドア本体側に光を放射する光放射領域を含んでいることを特徴とするドア構造。
【請求項２】
前記枠部材は、枠構成部と、面発光部と、化粧部材を有し、
前記面発光部は、点灯時に発光する発光領域を有するものであって、前記枠構成部に対して固定されるものであり、
前記化粧部材は、前記面発光部の発光領域を覆うものであって、前記光放射領域を構成するものであり、
前記面発光部は、点灯時に前記化粧部材を透過して前記ドア本体側に光を照射することを特徴とする請求項１に記載のドア構造。
【請求項３】
前記化粧部材は、光散乱性を有するものであって、前記枠構成部及び前記面発光部に跨って設けられていることを特徴とする請求項２に記載のドア構造。
【請求項４】
前記光放射領域は、前記内側空間から前記外側空間に跨っていることを特徴とする請求項１乃至３のいずれかに記載のドア構造。
【請求項５】
前記ドア本体は、開閉操作する操作部を有し、
前記操作部は、前記ドア本体の主面であって前記ドア本体の前記端面の近傍に設けられていることを特徴とする請求項１乃至４のいずれかに記載のドア構造。
【請求項６】
前記光放射領域は、有機ＥＬパネルを光源とすることを特徴とする請求項１乃至５のいずれかに記載のドア構造。
【請求項７】
ドア本体を取り付けて内側空間と外側空間に区切る枠部材であって、
前記内側空間と前記外側空間を連通させる開口部を備えており、
前記ドア本体は、前記開口部の一部又は全部を開閉する板状体であり、
前記ドア本体は、前記枠部材に対して相対的に移動し、端面が前記枠部材と近接又は接触した閉状態となるものであり、
前記ドア本体を閉状態にしたときに、前記ドア本体の前記端面と平行となる平行面を有し、
前記平行面は、点灯時に前記ドア本体側に光を放射する光放射領域を含んでいることを特徴とする枠部材。
【発明の詳細な説明】
【技術分野】
【０００１】
本発明は、空間を区切るドア構造及び枠部材に関する。特に本発明は、有機ＥＬパネルや、無機ＥＬパネル、ＬＥＤを面状に敷き詰めたＬＥＤパネル等の面発光パネルを備えたドア構造及び枠部材に関する。
【背景技術】
【０００２】
従来から建屋の寝室は、ドアで仕切られていることが多く、使用者はドアを開閉して寝室に出入りする（例えば、特許文献１）。夜間の寝室では、天井に設けられた照明装置で寝室全体を明るくし、寝室から出る際には、ドアを目視してドアの開閉を行う。
【先行技術文献】
【特許文献】
【０００３】
【特許文献１】特開２０１７−２２６９５３号公報
【発明の概要】
【発明が解決しようとする課題】
【０００４】
ところで、複数の使用者が睡眠する寝室では、照明装置を消灯し、睡眠することが多い。深夜にトイレ等の目的で寝室から出る際には、寝室の照明装置を点灯させると、寝室全体が明るくなり、他の使用者の睡眠を妨げてしまう。そのため、寝室の照明を消灯したままドアを開け、寝室を出てトイレ等の他の部屋に移動することがある。このような場合、使用者は、暗がりに眼が慣れるまでドアの位置やドアハンドルの位置が目視で確認できず、使用者によっては闇雲に歩き、転倒等の危険があった。
【０００５】
そこで、本発明は、夜間において部屋のドア本体の位置を認識できるドア構造及び枠部材を提供することを目的とする。
【課題を解決するための手段】
【０００６】
上記した課題を解決するための請求項１に記載の発明は、内側空間と外側空間に区切るドア構造であって、枠部材と、ドア本体を有し、前記枠部材は、前記内側空間と前記外側空間を連通させる開口部を備えており、前記ドア本体は、前記開口部の一部又は全部を開閉する板状体であり、前記ドア本体は、前記枠部材に対して相対的に移動し、端面が前記枠部材と近接又は接触した閉状態となるものであり、前記枠部材は、前記ドア本体を閉状態にしたときに、前記ドア本体の前記端面と平行となる平行面を有し、前記平行面は、点灯時に前記ドア本体側に光を放射する光放射領域を含んでいることを特徴とするドア構造である。
【０００７】
本発明の構成によれば、ドア本体の端面と平行となる平行面が点灯時にドア本体側に光を放射する光放射領域を備えているため、夜間に点灯させても主にドア本体が光って明るくなりすぎない。そのため、例えば、夜間において常に面発光部を点灯させることによって常夜灯として機能でき、使用者は、天井等に設けられた他の照明装置を点灯せずともドア本体の位置を認識できる。
【０００８】
請求項２に記載の発明は、前記枠部材は、枠構成部と、面発光部と、化粧部材を有し、前記面発光部は、点灯時に発光する発光領域を有するものであって、前記枠構成部に対して固定されるものであり、前記化粧部材は、前記面発光部の発光領域を覆うものであって、前記光放射領域を構成するものであり、前記面発光部は、点灯時に前記化粧部材を透過して前記ドア本体側に光を照射することを特徴とする請求項１に記載のドア構造である。
【０００９】
本発明の構成によれば、化粧部材が閉状態においてドア本体の端面と平行となる平行面を構成しており、面発光部は、化粧部材を透過してドア本体側に光を照射する。そのため、消灯時には、面発光パネルが化粧部材に隠され、化粧部材が露出するので、外観が優れている。
【００１０】
請求項３に記載の発明は、前記化粧部材は、光散乱性を有するものであって、前記枠構成部及び前記面発光部に跨って設けられていることを特徴とする請求項２に記載のドア構造である。
【００１１】
本発明の構成によれば、光散乱性を有する化粧部材が枠構成部と面発光部に跨って設けられているため、消灯時に面発光部と枠構成部の境界部分を不鮮明にすることができる。
【００１２】
請求項４に記載の発明は、前記光放射領域は、前記内側空間から前記外側空間に跨っていることを特徴とする請求項１乃至３のいずれかに記載のドア構造である。
【００１３】
本発明の構成によれば、内側空間及び外側空間の双方で光放射領域からドア本体に光を放射することが可能となり、例えば、内側空間と外側空間の両方でドア本体を照らす常夜灯として機能させることができる。
【００１４】
請求項５に記載の発明は、前記ドア本体は、開閉操作する操作部を有し、前記操作部は、前記ドア本体の主面であって前記ドア本体の前記端面の近傍に設けられていることを特徴とする請求項１乃至４のいずれかに記載のドア構造である。
【００１５】
本発明の構成によれば、閉状態において枠部材と近接又は接触するドア本体の端面の近傍の操作部が設けられているため、点灯時に操作部を照らすことができ、操作部の位置を確認しやすい。
【００１６】
請求項６に記載の発明は、前記光放射領域は、有機ＥＬパネルを光源とすることを特徴とする請求項１乃至５のいずれかに記載のドア構造である。
【００１７】
本発明の構成によれば、軽くて、局所的に高温になりにくい有機ＥＬパネル光源として使用しているため、より安全性が高い。
【００１８】
請求項７に記載の発明は、ドア本体を取り付けて内側空間と外側空間に区切る枠部材であって、前記内側空間と前記外側空間を連通させる開口部を備えており、前記ドア本体は、前記開口部の一部又は全部を開閉する板状体であり、前記ドア本体は、前記枠部材に対して相対的に移動し、端面が前記枠部材と近接又は接触した閉状態となるものであり、前記ドア本体を閉状態にしたときに、前記ドア本体の前記端面と平行となる平行面を有し、前記平行面は、点灯時に前記ドア本体側に光を放射する光放射領域を含んでいることを特徴とする枠部材である。
【００１９】
本発明の構成によれば、例えば、夜間において常に面発光部を点灯させることで常夜灯として機能でき、使用者は、天井等に設けられた他の照明装置を点灯せずともドアの位置を認識できる。
【発明の効果】
【００２０】
本発明のドア構造及び枠部材によれば、夜間において部屋のドア本体の位置を認識できる。
【図面の簡単な説明】
【００２１】
【図１】本発明の第１実施形態におけるドア構造を模式的に示した斜視図であり、閉状態を表している。
【図２】図１のドア構造の斜視図であり、開状態を表している。
【図３】図１のドア構造の分解斜視図である。
【図４】図１のドア構造を図３とは別の方向からみた分解斜視図である。
【図５】図１のドア構造の要部の断面斜視図である。
【図６】図５のドア構造の要部の分解斜視図である。
【図７】図５のドア構造の要部の断面図である。
【図８】図５のドア構造の説明図であり、（ａ）は点灯時の状態を示す斜視図であり、（ｂ）は消灯時の状態を示す斜視図である。
【図９】本発明の第２実施形態におけるドア構造を模式的に示した斜視図であり、閉状態を表している。
【図１０】図９のドア構造の斜視図であり、開状態を表している。
【図１１】図１０のドア構造を図１０とは別の方向からみた斜視図である。
【図１２】図９のドア構造の分解斜視図である。
【図１３】図９のドア構造を図１２とは別の方向からみた斜視図である。
【図１４】図９のドア構造の要部の断面斜視図である。
【図１５】図１４のドア構造の要部の分解斜視図である。
【図１６】図９のドア構造の要部の断面図である。
【図１７】本発明の他の実施形態のドア構造の要部の断面斜視図である。
【図１８】本発明の他の実施形態のドア構造の要部の断面斜視図である。
【図１９】本発明の他の実施形態のドア構造の要部の断面図であり、（ａ）は第１実施形態の化粧部材の変形例を表し、（ｂ）は第２実施形態の化粧部材の変形例を表す。
【発明を実施するための形態】
【００２２】
以下、本発明の実施形態について詳細に説明する。
【００２３】
本発明の第１実施形態のドア構造１は、図１のように、部屋を区切る壁面１００の開口部１０１に取り付けられるものである。
本実施形態のドア構造１は、図１，図２のように、開き戸であり、ドア本体２がヒンジ部３（図３参照）を介して枠部材５に取り付けられ、枠部材５に対してドア本体２が回動することで枠部材５のドア開口部６を開閉するものである。すなわち、ドア構造１は、図１に示されるドア開口部６をドア本体２で閉鎖した閉状態と、図２に示されるドア開口部６を開放した開状態とに変更可能となっている。そしてドア構造１は、図１のように、閉状態とすることで、空間をドア本体２で室内空間７（内側空間）と室外空間８（外側空間）に区切り、開状態とすることで室内空間７と室外空間８を連通させることが可能となっている。
【００２４】
ドア本体２は、図３のように、枠部材５のドア開口部６の一部又は全部を開閉する板状の移動開閉体であり、内面部２０と、外面部２１と、側面部２２，２３と、天面部２４と、底面部２５で構成された開閉部材である。
【００２５】
内面部２０は、ドア本体２の一方の主面をなし、閉状態において室内空間７側に露出する面である。内面部２０は、図３のように天面部２４と側面部２３とでなす角部近傍にマグネット部２６を備えている。
外面部２１は、ドア本体２の他方の主面をなし、閉状態において室外空間８側に露出する面である。
【００２６】
側面部２２，２３は、共に縦方向Ｙ（天地方向）に延びる端面であって横方向端面である。一方の側面部２２は、ヒンジ部３を介して回動可能に枠部材５に固定されて固定端となる端面であり、他方の側面部２３は、側面部２２とは反対側の端面であって、開状態において自由端となる端面である。
側面部２３には、図３，図４のように、ラッチ錠３０が設けられており、ラッチ錠３０を介してドア本体２の厚み方向に対向する一対のハンドル３１，３２が取り付けられている。
【００２７】
ハンドル３１，３２は、ドア本体２を開閉する際に使用者が把持し、開閉操作する操作部であり、ハンドル３１，３２を回すことで側面部２３からラッチ錠３０のラッチボルトが連動して出没可能となっている。
ハンドル３１，３２は、ドア本体２の内面部２０及び外面部２１に設けられており、ドア本体２の自由端となる側面部２３の近傍に位置している。
【００２８】
天面部２４は、横方向Ｘに延びる縦方向端面であって、ドア本体２の天面を構成する面である。
底面部２５は、天面部２４と反対側の横方向Ｘに延びる縦方向端面であって、ドア本体２の底面を構成する面である。
【００２９】
ヒンジ部３は、枠部材５とドア本体２を相対的に回動可能に連結する連結部材である。
【００３０】
枠部材５は、壁面１００の開口部１０１に沿って取り付けられ、ドア本体２を取り囲むドア枠である。
枠部材５は、図３のように、四角環状の枠体であり、側面側枠部４０，４１と、天面側枠部４２と、底面側枠部４３を備えており、これらの枠部４０〜４３に囲繞されてドア開口部６が形成されている。
【００３１】
側面側枠部４０は、縦方向Ｙ（天地方向）に延びる縦枠部であり、ヒンジ部３を介してドア本体２が固定される固定枠部である。
側面側枠部４１は、図３のように、側面側枠部４０とドア開口部６を挟んで対向し、縦方向Ｙに延びる縦枠部である。側面側枠部４１は、図５，図６のように、枠構成部４４と、面発光部４８と、化粧部材４９を備えている。
枠構成部４４は、図６のように、室外空間８側から室内空間７側に向けて順に、第１壁部４５と、第２壁部４６と、第３壁部４７で構成されている。
第１壁部４５は、閉状態においてドア本体２の側面部２３と対面する壁部であり、外側面５２と、対向面５３を備えている。
外側面５２は、閉状態において室外空間８側を向いた面である。
対向面５３は、閉状態においてドア本体２の側面部２３と対向し、ドア本体２の側面部２３と平行となる平行面であり、ラッチ受部５９が設けられている。
ラッチ受部５９は、閉状態においてラッチ錠３０のラッチボルトと係合する係合穴である。
【００３２】
第２壁部４６は、ドア本体２と係合することでドア本体２の室内空間７側への移動を規制する規制壁部であり、第１壁部４５の対向面５３に対して横方向Ｘに突出し、縦方向Ｙの延びた凸条部である。
第２壁部４６は、図６のように、平行面５４と、係止面５５と、内側面５６を備えている。
平行面５４は、閉状態のときにドア本体２の側面部２３と平行となる面である。
係止面５５は、ドア本体２と係合しドア本体２を係止する壁面であって、第１壁部４５の対向面５３から平行面５４に向かって立ち上がった壁面である。すなわち、係止面５５は、第２壁部４６の室外空間８側の側面である。
内側面５６は、係止面５５とは反対側の面の側面であり、第３壁部４７の平行面５７から平行面５４に向かって立ち上がった壁面である。すなわち、内側面５６は、第２壁部４６の室内空間７側の側面であり、室内空間７側を向いた面である。
【００３３】
第３壁部４７は、図６のように、第２壁部４６から室内空間７側に延びた壁部であり、平行面５７と、内側面５８を備えている。
平行面５７は、閉状態のときにドア本体２の側面部２３と平行となる面であり、格納穴５０が設けられている。
格納穴５０は、面発光部４８と嵌合して固定する嵌合穴であり、壁面１００に向かって深さをもった有底穴である。
内側面５８は、閉状態において室内空間７側を向いた面である。
【００３４】
面発光部４８は、室内空間７及び／又は室外空間８に設けられた図示しないスイッチによって消点灯の切り替えが可能な部位であり、光源として機能する面発光パネル６１を備えている。
面発光パネル６１は、面状光を放射可能な板状パネルであり、一方の主面が点灯時に発光する発光領域を含む発光面７１を構成する発光パネルである。本実施形態の面発光パネル６１は、有機ＥＬパネルであり、発光領域から拡散光を照射可能となっている。
【００３５】
化粧部材４９は、側面側枠部４１の外郭を形成し、透光性を有したシート状の透光性部材である。本実施形態の化粧部材４９は、光散乱性を有した光散乱シートであり、光を散乱しながら光を透過することが可能となっている。
化粧部材４９は、他の枠部４０，４２，４３と同様の模様が施されていることが好ましい。
【００３６】
側面側枠部４１は、点灯時に面発光パネル６１の発光領域に対応する位置に光放射領域５１を備えている。
光放射領域５１は、面発光パネル６１の発光領域に対応し、発光領域を光源とする領域であり、発光領域から化粧部材４９を透過して化粧部材４９の表面に形成される領域である。
【００３７】
天面側枠部４２は、図３のように、側面側枠部４０の上端部と、側面側枠部４１の上端部を接続する接続枠部であり、スイッチ部８０を備えている。
スイッチ部８０は、ドア本体２のマグネット部２６とともにマグネットセンサーを構成する部位であり、マグネット部２６が近接・離反することによってドア本体２の開閉状態を検知する部位である。すなわち、スイッチ部８０は、ドア本体２が閉められ、マグネット部２６が近接して磁力を受けるとドア構造１が閉状態であることを検出する。一方、スイッチ部８０は、ドア本体２が開けられ、マグネット部２６が離反して磁力を受けなくなると、ドア構造１が開状態であることを検出する。
スイッチ部８０は、面発光パネル６１と電気的に接続されており、開閉状態に連動して面発光パネル６１の消灯及び点灯を切り替え可能となっている。
スイッチ部８０は、消点灯動作として、開状態を検知したときに点灯し、閉状態を検知したときに消灯してもよい。また、スイッチ部８０は、消点灯動作として、閉状態を検知したときに点灯し、開状態を検知したときに消灯してもよい。スイッチ部８０は、室内空間７及び／又は室外空間８に設けられた図示しないスイッチによって、これらの開状態を検知したときの消点灯動作と、閉状態を検知したときの消点灯動作を選択できることが好ましい。
【００３８】
底面側枠部４３は、図３のように、側面側枠部４０の下端部と、側面側枠部４１の下端部を接続する接続枠部である。
【００３９】
壁面１００の開口部１０１は、図１から読み取れるように、開口形状が四角形状の貫通孔であり、内壁が縦方向に延びる縦内壁部と、横方向に延び、縦内壁部の端部間を繋ぐ横内壁部で構成されている。
【００４０】
続いて、第１実施形態のドア構造１の各部材の位置関係について説明する。
【００４１】
まず、閉状態の各部材の位置関係について説明する。
ドア構造１は、図１のように、壁面１００の開口部１０１に枠部材５が図示しない締結要素によって固定されている。
ドア本体２の側面部２２は、図１，図３から読み取れるように、枠部材５の側面側枠部４０と対向しており、その間にヒンジ部３が介在して側面側枠部４０に固定されている。
ドア本体２の側面部２３は、枠部材５の側面側枠部４１の第１壁部４５と対向しており、ラッチ錠３０のラッチボルトは、第１壁部４５に設けられたラッチ受部５９と係合している。
ドア本体２の内面部２０は、図７のように、側面側枠部４１の第２壁部４６に接触又は近接しており、ドア本体２は、第２壁部４６によって第２壁部４６よりも室内空間７側への移動が規制されている。
ドア本体２のマグネット部２６は、天面側枠部４２に設けられたスイッチ部８０に近接又は接触し、磁力によって閉状態を検知している。
【００４２】
面発光部４８は、図７のように、側面側枠部４１の第３壁部４７の格納穴５０と嵌合し、枠構成部４４と実質的に面一となっている。
ここでいう「実質的に面一」とは、指等が入らない程度の面一であり、例えば段差が１ｍｍ以下のものをいう。
【００４３】
化粧部材４９は、面発光部４８の発光領域を覆っている。本実施形態の化粧部材４９は、枠構成部４４及び面発光部４８に跨っている。すなわち、化粧部材４９は、面発光部４８だけではなく、各壁部４５〜４７に跨っている。
【００４４】
続いて、第１実施形態のドア構造１を閉状態から開状態に変更する際の各部材の位置関係について説明する。
【００４５】
使用者がハンドル３１，３２を開操作して、ラッチ錠３０のラッチボルトとラッチ受部５９の係合を解除し、ヒンジ部３によりドア本体２を枠部材５の側面側枠部４０に対して回動させて図２のように開状態とすると、側面部２３は自由端となり、側面側枠部４１から離反してドア開口部６が開放される。
このとき、枠部材５のスイッチ部８０からドア本体２のマグネット部２６が離反し、スイッチ部８０がマグネット部２６からの磁力を検知できなくなると、開状態を検知する。
【００４６】
本実施形態のドア構造１によれば、閉状態においてドア本体２の側面部２３に近接する近接面たる第３壁部４７に光放射領域５１が設けられており、閉状態において、第３壁部４７が自由端たる側面部２３を通る面と平行となって近接し、側面部２３に向かう方向に光を放射する。そのため、例えば、夜間に面発光部４８を常時点灯させることによって、柔らかく広がりをもち、ドア本体２の内面部２０に沿って広範囲を照らす、安心感ある常夜灯として機能できる。
【００４７】
本実施形態のドア構造１によれば、面発光部４８と枠構成部４４が化粧部材４９に覆われており、面発光部４８と枠構成部４４の境界部分間で実質的に段差がない。そのため、面発光部４８と側面部２３の間に埃が溜まりにくく、使用者にすっきりとした印象を与えることができる。
【００４８】
本実施形態のドア構造１によれば、マグネット部２６及びスイッチ部８０で構成されドア本体２の開閉を検知するマグネットセンサーを備えており、ドア本体２の開閉に伴って面発光部４８の点灯及び消灯を制御できる。そのため、例えば、ドア本体２が開状態となるときに点灯状態とし、閉状態となるときに消灯状態とすることで電気使用量を低減できる。また、例えば、ドア本体２が開状態となるときに消灯状態とし、閉状態となるときに点灯状態とすることによって、閉状態では常時ドア本体２が照らされているので、常夜灯として機能できる。
【００４９】
本実施形態のドア構造１によれば、面発光部４８の光源であり光放射領域５１に対応する面発光パネル６１として、有機ＥＬパネルを使用しているので、重量が軽く、面状に光るため局所的に発熱しない。そのため安全性が高い。
【００５０】
本実施形態のドア構造１によれば、枠部材５は、閉状態において、ハンドル３１の近傍となる位置に面発光部４８の光放射領域５１があり、点灯時に光放射領域５１からハンドル３１側を照らすため、使用者がハンドル３１を操作しやすい。
【００５１】
本実施形態のドア構造１によれば、光源となる面発光パネル６１の発光面と重なり、第３壁部４７の室内空間７側に露出する部分に透光性の化粧部材４９が設けられている。そのため、図８（ａ）のように点灯時には化粧部材４９を透過して光放射領域５１から光が放射され、消灯時には、化粧部材４９によって面発光パネル６１が隠されているので、図８（ｂ）のように面発光パネル６１が消失したように見え、面発光パネル６１を実質的に認識できない状態となる。それ故に、消灯時には面発光パネル６１が設けられていない従来の枠部材と同様の外観を呈することができる。
【００５２】
本実施形態のドア構造１によれば、枠構成部４４及び面発光部４８の露出面全面を化粧部材４９が覆うため、消灯時に統一感のとれた外観となる。
【００５３】
続いて、本発明の第２実施形態のドア構造２００について説明する。なお、第１実施形態のドア構造１と同様の構成は、同様の付番をして説明を省略する。以下、同様とする。
【００５４】
第２実施形態のドア構造２００は、図９，図１０のように、引き戸であり、壁面１１０の開口部１０１に取り付けられ、枠部材２０５に対してドア本体２０２が相対的に横方向Ｘにスライド移動することで枠部材２０５のドア開口部２０６を開閉するものである。
【００５５】
ドア本体２０２は、図１２のように、第１実施形態のドア本体２０２と同様、内面部２０と、外面部２１と、側面部２２，２３と、天面部２４と、底面部２５で構成されている。
ドア本体２０２は、天面部２４及び底面部２５に戸車部２１６，２１７がそれぞれ設けられており、戸車部２１６，２１７が走行することで、姿勢を維持したまま枠部材２０５内を平行に移動可能となっている。
【００５６】
内面部２０及び外面部２１には、図９，図１１のように、一対のハンドル２３１，２３２が設けられている。
ハンドル２３１，２３２は、引手であり、ドア本体２０２の厚み方向の中央側に向かって窪んだ凹部である。すなわち、ドア本体２０２は、ハンドル２３１，２３２が設けられた部分の厚みは、他の部分に比べて薄くなっている。
【００５７】
枠部材２０５は、図１２，図１３のように、側面側枠部４０，２４１と、天面側枠部４２と、底面側枠部４３を備えている。
側面側枠部２４１は、図１４，図１５のように、枠構成部２４４と、面発光部４８と、化粧部材４９を備えている。
枠構成部２４４は、室外空間８側から室内空間７側に向けて順に、第１壁部２４５と、第２壁部２４６と、第３壁部２４７で構成されている。
第１壁部２４５は、外側面２５２と、平行面２５３を備えている。
外側面２５２は、閉状態において室外空間８を向いた面である。
平行面２５３は、閉状態において、側面部２３と平行となる面である。
【００５８】
第２壁部２４６は、戸当たりとして機能する部位であり、具体的には、第１壁部２４５の平行面２５３及び第３壁部２４７の平行面２５７に対して窪んだ凹部である。
第２壁部２４６は、対向面２５４と、規制面２５５，２５６を備えている。
対向面２５４は、閉状態においてドア本体２０２の側面部２３と対向し、ドア本体２の側面部２３と平行となる平行面であり、ドア本体２０２の側面部２３と接触又は近接する壁面である。対向面２５４は、図１５のように、格納穴５０を備えている。
規制面２５５，２５６は、対向面２５４の両端部から壁部２４５，２４７の平行面２５３，２５７に向かって立ち上がった内壁面である。
規制面２５５，２５６は、ドア本体２０２を対向面２５４に近接するように導く壁面である。
第３壁部２４７は、平行面２５７と、内側面２５８を備えている。
平行面２５７は、閉状態において側面部２３と平行となる面である。
内側面２５８は、閉状態において室内空間７側を向いた面である。
【００５９】
枠部材２０５の枠部４２，４３には、図１２，図１３のように、ドア本体２０２の戸車部２１６，２１７と対をなす走行レール２２７，２２８が設けられている。
走行レール２２７，２２８は、戸車部２１６，２１７が走行するレールであり、枠部４２，４３の長手方向（横方向Ｘ）に延びた凹溝である。
【００６０】
壁面１１０は、図９，図１１のように、縦内壁部と横内壁部で囲まれる開口部１０１を有し、さらに開口部１０１の一部を塞ぐ戸袋構成部１１２を備えている。
戸袋構成部１１２は、開口部１０１内に戸袋を形成する板体であり、各内壁部の厚みよりも薄く、厚み方向に隣接する位置にドア本体２０２を収納可能な収納空間が形成されている。
【００６１】
続いて、第２実施形態のドア構造２００の各部材の位置関係について説明する。
【００６２】
閉状態のドア構造２００は、図１６のようにドア本体２０２の閉方向の先端部が第２壁部２４６の規制面２５５，２５６の間に挿入されており、側面部２３が第２壁部２４６の対向面２５４と近接又は接触している。
ハンドル２３１，２３２は、閉状態において面発光部４８に対向する位置に配されている。ドア本体２０２は、図１６のようにハンドル２３１，２３２が設けられた部分の厚みが面発光部４８の幅よりも薄くなっており、ハンドル２３１，２３２から面発光部４８の発光領域の一部が露出している。
【００６３】
天面側枠部４２に設けられたスイッチ部８０は、図９のように、ドア本体２０２のマグネット部２６が近接又は接触し、磁力によって閉状態を検知している。
使用者がハンドル２３１，２３２をもってドア本体２０２を走行レール２２７，２２８に沿ってスライド移動させて図１０のように開状態とすると、ドア本体２０２が側面側枠部２４１から離反してドア開口部２０６が開放される。
このとき、枠部材２０５のスイッチ部８０からドア本体２０２のマグネット部２６が離反し、スイッチ部８０がマグネット部２６からの磁力を検知できなくなると、開状態を検知する。
【００６４】
ドア構造２００が全開となると、ドア本体２０２の側面部２３が戸袋構成部１１２の端部と面一となり、ドア開口部２０６が全て開放される。
【００６５】
第２実施形態のドア構造２００によれば、開状態において点灯することでドア本体２０２を照らすことができるので、ドア開口部２０６への誘導灯として機能することができる。
【００６６】
第２実施形態のドア構造２００によれば、ドア本体２０２のハンドル２３１，２３２が設けられた部分の厚みが面発光部４８の幅よりも狭く、ハンドル２３１，２３２から面発光部４８の発光領域の一部が露出している。そのため、夜間に点灯し、常夜灯として機能させることで、深夜でも面発光部４８のハンドル２３１，２３２からの露出部分からドア本体２０２に光が照射され、使用者がドア本体２０２を認識することができる。
【００６７】
上記した実施形態では、ドア構造が開き戸又は引き戸の場合について説明したが、本発明はこれに限定されるものではない。ドア構造は折れ戸や吊り戸などの他のドアでもよい。
【００６８】
上記した実施形態では、室内空間７側に面発光部４８が取り付けられ、光放射領域５１が室内空間７側に形成されていたが、本発明はこれに限定されるものではない。室外空間８側にも面発光部４８を設けてもよいし、面発光部４８を室内空間７側から室外空間８側に跨って設けてもよい。こうすることで、光放射領域５１が室内空間７と室外空間８の双方で光を放射することが可能となり、室内空間７と室外空間８の両方で常夜灯として機能させることができ、使用者により安心感を与えることができる。
【００６９】
上記した実施形態では、室内空間７側及び室外空間８側の双方にハンドル３１，３２を設けていたが、本発明はこれに限定されるものではない。室内空間７側又は室外空間８側の一方にのみハンドルを設けてもよい。
【００７０】
上記した実施形態は、室内空間７側に面発光部４８が設けられていたが、本発明はこれに限定されるものではない。図１７のように室外空間８側にも面発光部４８が設けられていてもよい。また、図１８のように室内空間７側から室外空間８側に跨るように面発光部４８を設けてもよい。この場合、両側の空間７，８の常夜灯として機能でき、使用者により安心感を与えることができる。
【００７１】
上記した実施形態は、化粧部材４９は、シート状であったが、本発明はこれに限定されるものではない。化粧部材は、板状であってもよい。
また、化粧部材は、図１９（ａ），図１９（ｂ）のように、板状の化粧板３００とシート状の化粧シート３０１の多層構造となっていてもよい。この場合、面発光パネル６１の発光領域を覆うように面発光パネル６１と同程度の大きさの化粧板３００を設け、化粧板３００と枠構成部４４に跨って化粧シート３０１を設けることが好ましい。また、化粧板３００として光を透過するアクリルパネルを使用し、化粧シート３０１として光を散乱しつつ透過する光散乱シートを使用することが好ましい。
上記した実施形態は、化粧部材４９は、シート状であって枠構成部４４，２４４の各壁部の形状が反映されるものであったが、本発明はこれに限定されるものではない。化粧部材を各壁部と同様の形状とし、枠構成部の一部として機能させてもよい。
【００７２】
上記した実施形態では、面発光部４８を格納穴５０に格納し、化粧部材４９で覆っていたが、本発明はこれに限定されるものではない。格納切り欠きを設け、格納切り欠きに面発光部を格納し、化粧部材で覆ってもよい。
【００７３】
上記した実施形態では、ドア本体２は長方形状の板体であったが、本発明はこれに限定されるものではない。ドア本体２は正方形等の四角形状の板体であってもよいし、円形状等の曲面をもった板体であってもよい。
【００７４】
上記した実施形態の応用例として、面発光部は、タイマーによって所定の時間帯に合わせて点灯するようにしてもよい。例えば、夜間の時間帯に点灯する設定にすることによって日差しのある昼間は消灯状態となり、夜間の時間帯になると自動で点灯状態とすることができる。
【００７５】
上記した実施形態の応用例として、面発光部は、所定の設定光量以下になると、光センサーによって自動的に点灯するようにしてもよい。例えば、設定光量を下回ることによって夜間を検知し点灯するようにしてもよい。
【００７６】
上記した実施形態の応用例として、面発光部は、赤外線センサーによって人等の熱源が近づくと、点灯するようにしてもよい。
【００７７】
上記した実施形態は、本発明の技術的範囲に含まれる限り、各実施形態間で各構成部材を自由に置換や付加できる。
【符号の説明】
【００７８】
１，２００  ドア構造
２，２０２  ドア本体
５，２０５  枠部材
６，２０６  ドア開口部
７  室内空間（内側空間）
８  室外空間（外側空間）
２０  内面部
２１  外面部
２２，２３  側面部
３１，３２，２３１，３２２  ハンドル
４０，４１，２４１  側面側枠部
４８  面発光部
４９  化粧部材
５１  光放射領域
５３  対向面
５４  平行面
５５  係止面
５７  平行面
７１  発光面
８０  スイッチ部
２５３  平行面
２５４  対向面
２５５  規制面
２５６  規制面
２５７  平行面
【図１】
2019200838.tif 000003
【図２】
2019200838.tif 000004
【図３】
2019200838.tif 000005
【図４】
2019200838.tif 000006
【図５】
2019200838.tif 000007
【図６】
2019200838.tif 000008
【図７】
2019200838.tif 000009
【図８】
2019200838.tif 000010
【図９】
2019200838.tif 000011
【図１０】
2019200838.tif 000012
【図１１】
2019200838.tif 000013
【図１２】
2019200838.tif 000014
【図１３】
2019200838.tif 000015
【図１４】
2019200838.tif 000016
【図１５】
2019200838.tif 000017
【図１６】
2019200838.tif 000018
【図１７】
2019200838.tif 000019
【図１８】
2019200838.tif 000020
【図１９】
2019200838.tif 000021